(57)【要約】【課題】便器洗浄ユニットを備えた衛生洗浄装置において、便器洗浄水吐出方式によって駆動回路が異なるため、吐出方式に応じて専用の駆動回路を備えた専用の負荷駆動装置が必要であった。専用の負荷駆動装置ということは、それぞれの便器洗浄水吐出方式に対し個別に負荷駆動装置の開発、設計を行う必要があり、開発、設計、評価負荷が増大するだけでなく、プリント基板が専用になって割高となる要因となっていた。【解決手段】ＤＣモータで駆動されるＤＣモータタイプ便器洗浄駆動回路と、ＤＣ電磁弁で駆動されるＤＣ電磁弁タイプ便器洗浄駆動回路と、前記両タイプの便器洗浄駆動回路を形成する電子部品を削除又は置換えることによりＤＣモータタイプ及びＤＣ電磁弁タイプの便器洗浄駆動方式に対応したことを特徴とする。【選択図】　図１
2004124619.tif 000002
【特許請求の範囲】
【請求項１】
ＤＣモータで駆動されるＤＣモータタイプ便器洗浄駆動回路と、ＤＣ電磁弁で駆動されるＤＣ電磁弁タイプ便器洗浄駆動回路と、前記両タイプの便器洗浄駆動回路を形成する電子部品を削除又は置換えることによりＤＣモータタイプ及びＤＣ電磁弁タイプの便器洗浄駆動方式に対応したことを特徴とする衛生洗浄装置。
【発明の詳細な説明】
【０００１】
【発明の属する技術分野】
本発明は、便器洗浄を行うための負荷駆動装置を有する衛生洗浄装置に関するものである。
【０００２】
【従来の技術】
従来の衛生洗浄装置における便器洗浄機能は、本体内部に設けられた負荷駆動装置内の駆動回路により洗浄水吐出を制御している。洗浄水吐出方式にはロータンク内の水を吐出するロータンク密結式、または水道管から直接吐出する水道直結式などが知られており、ロータンク密結式には、タンク内の排水栓を開閉させることで洗浄水を便器ボウル部へ吐出するものがある。（例えば、特許文献１参照。）
また、水道直結式には、２種類の開閉弁によって水道水の流路を開閉して便器ボウル部へ吐出するものがある。（例えば、特許文献２参照。）
ここでタンク内の排水栓を開閉させる駆動装置の例としてはＤＣタイプのモータ、開閉弁の例としてはＤＣタイプの電磁弁が挙げられるが、それぞれ駆動回路は異なるものである。
【０００３】
【特許文献１】
特開平１−１１６１２３号公報　（第１〜２頁）
【特許文献２】
特公昭５５−３００９２号公報　（第１〜２頁、第２図）
【発明が解決しようとする課題】
しかしながら、このような従来技術では、便器洗浄水吐出方式によって駆動回路が異なるた　め、前記吐出方式に応じて専用の駆動回路を備えた専用の負荷駆動装置が必要であった。
専用の負荷駆動装置ということは、それぞれの便器洗浄水吐出方式に対し個別に負荷駆動装置の開発、設計を行う必要があり、開発、設計、評価負荷が増大するだけでなく、プリント基板が専用になって割高となる要因となっていた。そこで、開発、設計を個別に行わずに済ませるため、ひとつの負荷駆動装置において異なる便器洗浄水吐出方式に対応させることが考えられるが、それぞれの駆動回路の回路パターンを同一基板上に独立して設けただけの場合は、プリント基板形状が大きくなるだけでなく、使用しない回路部分が大きく残るなど実装密度が低下し、コストアップになるという課題を有していた。
【０００４】
【課題を解決するための手段および作用・効果】
上記課題を解決するためになされた請求項第１項記載の発明は、ＤＣモータで駆動されるＤＣモータタイプ便器洗浄駆動回路と、ＤＣ電磁弁で駆動されるＤＣ電磁弁タイプ便器洗浄駆動回路と、前記両タイプの便器洗浄駆動回路を形成する電子部品を削除又は置換えることによりＤＣモータタイプ及びＤＣ電磁弁タイプの便器洗浄駆動方式に対応したことを特徴とする。
【０００５】
本発明は上記の構成によって、負荷駆動装置のプリント基板の部品実装組立て時に部品を選択することで、異なる便器洗浄ユニット駆動方式に対応させることが可能となるため、プリント基板を共用することが出来るようになり、プリント基板の金型代や版代などイニシャル費用が低減する。また、異なる便器洗浄ユニット駆動方式毎に開発・設計する必要がなくなり費用及び負荷の軽減を図ることが出来る。さらに複数の駆動回路を独立させずに組み合わせているため無駄なスペースが減り実装密度の向上とあわせて低コスト化も図ることが出来るのである。
【０００６】
【発明の実施の形態】
以下、本発明の実施の形態を、添付図面により詳細に説明する。
図１は本発明に係わる衛生洗浄装置のブロック図であり、図２、図３は従来の衛生洗浄装置のブロック図の例、図４はとある衛生洗浄装置のブロック図の例である。また、図５は図１の便器洗浄駆動回路の回路図の例、図６、７は本発明の回路を使用した場合の便器洗浄駆動回路の例である。
【０００７】
それぞれの図において、１ａ〜１ｂは便器洗浄ユニット、２ａ〜２ｄは便器洗浄駆動回路、５はマイコン、６ａ〜６ｄは負荷駆動装置、１０は衛生洗浄装置を示している。衛生洗浄装置にはその他に色々なものが付属するがここでは省略している。ここで、図２の従来の例について説明すると、衛生洗浄装置１０は負荷駆動装置６ａを内蔵し、負荷駆動装置６ａはマイコン５、便器洗浄駆動回路ａ２ａなどから成っている。便器洗浄駆動回路２ａには便器洗浄ユニットａ（ＤＣモータタイプ）１ａが接続されている。トイレ使用者が用を足した後、操作部（図示しない）で便器洗浄スィッチを押下すると、マイコン５からの信号により、便器洗浄駆動回路ａ２ａが便器洗浄ユニットａ（ＤＣモータタイプ）１ａを駆動させ、便器内に水を流すのである。同様に図３の従来例では、トイレ使用者が用を足した後、操作部（図示しない）で便器洗浄スィッチを押下すると、マイコン５からの信号により、便器洗浄駆動回路ｂ２ｂが便器洗浄ユニットｂ（ＤＣ電磁弁タイプ）２ｂを駆動させ、便器内に水を流すのである。
【０００８】
ここで、便器洗浄について説明すると、大便時に大流量、小便時に小流量の便器洗浄水を流すようにするため、ＤＣモータタイプではモータを正回転、逆回転することでレバーを回す方向を切り替え、レバーに接続された軸により排水栓の開度を変えて、便器洗浄水の流量を選択出来るようにしている。またＤＣ電磁弁タイプでは、リム用電磁弁とトラップ用電磁弁のコイルに電流を流して弁体を保持し、弁体を保持する時間の長短で流路を開にする時間を変えて、便器栓浄水の流量を選択出来るようにしている。
【０００９】
便器洗浄ユニットａ（ＤＣモータタイプ）１ａと便器洗浄ユニットｂ（ＤＣ電磁弁タイプ）２ｂは負荷が違うために、便器洗浄駆動回路ａ２ａと便器洗浄駆動回路ｂ２ｂの回路は別物である。
よって、便器洗浄ユニットａ（ＤＣモータタイプ）１ａに対応する場合は、専用の便器洗浄駆動回路ａ２ａを搭載した負荷駆動装置６ａを選択しなければならず、負荷駆動装置６ｂは使用出来ないのである。同様に、便器洗浄ユニットｂ（ＤＣ電磁弁タイプ）２ｂに対応する場合は、専用の便器洗浄駆動回路ｂ２ｂを搭載した負荷駆動装置６ｂを選択しなければならず、負荷駆動装置６ａは使用出来ないのである。
【００１０】
ここで、いずれかの便器洗浄ユニットに常に対応できるようにすることを考えると、図４の例で示すような、便器洗浄駆動回路ａ２ａと便器洗浄駆動回路ｂ２ｂの２つの回路を搭載した負荷駆動装置６ｄを準備しておけばよいことになるが、図で明らかなように、使用しない便器洗浄駆動回路は無駄なスペースを取ることになるため、コストアップの要因となる。
【００１１】
そこで、図１に示すように、便器洗浄駆動回路ａ２ａと便器洗浄駆動回路ｂ２ｂを組み合わせた回路を用いて、便器洗浄ユニットａ（ＤＣモータタイプ）１ａあるいは便器洗浄ユニットｂ（ＤＣ電磁弁タイプ）２ｂのいずれでも接続できるような回路構成とし、図５の回路図で示すような回路パターンを準備しておけば、実装する部品を最低限選択することでいずれの便器洗浄ユニットにも図４の例よりも少ないスペースで対応できるものとなるのである。
【００１２】
例えば、トランジスタＱ１、Ｑ２、Ｑ３、Ｑ４、Ｑ５、Ｑ６、コネクタＣＮ１（２極）の組み合わせを選んだ場合（図６）は、マイコン５からの信号でＱ５をＯＮするとＱ３がＯＮし、同時にＱ２をＯＮさせると便器洗浄ユニットａ（ＤＣモータタイプ）１ａのモータ３に図面上で上方から下方へ電流が流れることになり、マイコン５からの信号でＱ６をＯＮするとＱ４がＯＮし、同時にＱ１をＯＮさせると便器洗浄ユニットａ（ＤＣモータタイプ）１ａのモータ３に図面上で下方から上方へ電流が流れることになる。この時、モータ３は電流の向きによって正回転、逆回転することになり、回転方向に応じて便器洗浄水の大流量、小流量を切り替えることが出来るのである。
【００１３】
次に、例えば、抵抗Ｒ１、Ｒ２トランジスタＱ３、Ｑ４、コネクタＣＮ１（３極）の組み合わせを選んだ場合（図７）は、マイコン５からの信号でＱ３、Ｑ４をＯＮすると便器洗浄ユニットｂ（ＤＣ電磁弁タイプ）１ｂのコイル４ａ、４ｂに電流が流れることになり、大流量、小流量に応じた時間だけコイル４が弁体を保持しておけば、便器洗浄水の大流量、小流量を切り替えることが出来るのである。
【００１４】
ここで、図６と図７で同一回路記号の部品は必ずしも同一であることを示してはいない。回路パターンのみ共通にしておき、負荷に適切な部品を選定すればよいことは言うまでもない。
【００１５】
本発明は、以上のように異なる便器洗浄駆動回路をうまく組み合わせて少ないスペースで回路パターンを構成し、実装する部品を選択することで、異なる便器洗浄ユニットを駆動することが可能となるため、プリント基板の開発・設計費用が低減される効果が得られるのである。
【００１６】
以上のように図面に基づいて実施例を説明して来たが、本発明がこの例に限定されないことは言うまでもない。
【図面の簡単な説明】
【図１】本発明の一実施例である、衛生洗浄装置のブロック図である。
【図２】従来のロータンク密結式における衛生洗浄装置のブロック図の一例である。
【図３】従来の水道直結式における衛生洗浄装置のブロック図の一例である。
【図４】衛生洗浄装置のブロック図の一例である。
【図５】本発明の衛生洗浄装置の便器洗浄駆動回路図の一例である。
【図６】本発明の衛生洗浄装置の便器洗浄駆動回路の回路を使用した一例である。
【図７】本発明の衛生洗浄装置の便器洗浄駆動回路の回路を使用した別の一例である。
【符号の説明】
１ａ…便器洗浄ユニット（ＤＣモータタイプ）、１ｂ…便器洗浄ユニット（ＤＣ電磁弁タイプ）、２ａ〜２ｃ…便器洗浄ユニットの駆動回路、３…ＤＣモータ、４ａ〜４ｂ…コイル、５…マイコン、６ａ〜６ｄ…負荷駆動装置、１０…衛生洗浄装置、Ｑ１〜Ｑ６…トランジスタ、Ｒ１〜Ｒ２…抵抗、ＣＮ１…コネクタ
【図１】
2004124619.tif 000003
【図２】
2004124619.tif 000004
【図３】
2004124619.tif 000005
【図４】
2004124619.tif 000006
【図５】
2004124619.tif 000007
【図６】
2004124619.tif 000008
【図７】
2004124619.tif 000009